(57)【要約】【課題】表示面を撮像した撮像画像に基づき、画像を補正する補正データを容易に生成し、生成した補正データを用いて画像を好適に処理する。【解決手段】調整用画像データを生成する調整用画像生成部１８３と、調整用画像データを第２画像処理部１６５に処理させ、表示部１１０に表示させる補正制御部１８４と、調整用画像データに対し、第１画像処理部１６１による処理が行われず、第２画像処理部１６５による処理が行われた場合に、スクリーンＳＣに表示される画像の撮像画像に基づいて、第２画像処理部１６５による処理に用いられる第２補正データを生成する補正データ生成部１８５とを備えることを特徴とするプロジェクター１００。【選択図】図２
2017129704.tif 000002
【特許請求の範囲】
【請求項１】
画像データを入力する入力部と、
前記入力部から入力される画像データに対して補正を行い、補正後の画像データ又は補正を行っていない画像データを出力する第１補正部と、
前記第１補正部が出力する画像データを補正して出力する第２補正部と、
前記第２補正部が出力する画像データに基づく画像を表示面に表示する表示部と、
調整用画像データを生成する調整用画像生成部と、
前記調整用画像データを前記第２補正部に補正させ、前記表示部に表示させる補正制御部と、
前記調整用画像データに対し、前記第１補正部による補正が行われず、前記第２補正部による補正が行われた場合に、前記表示面に表示される画像の撮像画像に基づいて、前記第２補正部による補正に用いられる補正データを生成する補正データ生成部と、
を備えることを特徴とする表示装置。
【請求項２】
前記第１補正部は、画像データに色変換を行う色変換部を少なくとも備え、
前記第２補正部は、画像データの色むらを補正する色むら補正部と、画像データにガンマ補正を行うガンマ補正部とを備えることを特徴とする請求項１記載の表示装置。
【請求項３】
前記第１補正部は、画像データに色変換を行う色変換部と、画像の形状を補正する形状補正部とを備え、
前記第２補正部は、画像データの色むらを補正する色むら補正部と、画像データにガンマ補正を行うガンマ補正部とを備えることを特徴とする請求項１記載の表示装置。
【請求項４】
前記色むら補正部は、事前に生成された補正データを用いて画像データの色むらを補正する第１色むら補正部と、前記補正データ生成部が生成した補正データを用いて画像データの色むらを補正する第２色むら補正部と、を備えることを特徴とする請求項２又は３記載の表示装置。
【請求項５】
前記補正データ生成部は、前記ガンマ補正部が補正に用いるガンマ補正値に対応して、複数の補正データを生成する、ことを特徴とする請求項２から４のいずれかに記載の表示装置。
【請求項６】
前記補正データ生成部は、前回の補正データの生成の際に撮像された撮像画像の撮像値を目標値として、前記表示面に表示される画像の撮像画像の撮像値を、前記目標値に補正する補正データを生成する、ことを特徴とする請求項１から５のいずれかに記載の表示装置。
【請求項７】
入力を受け付ける受付部を備え、
前記補正データ生成部は、前記受付部で受け付けた入力に応じて、生成した前記補正データを変更する、ことを特徴とする請求項１から７のいずれかに記載の表示装置。
【請求項８】
記憶部を備え、
前記補正データ生成部は、前記補正データ生成部が生成した前記補正データと、前記受付部で受け付けた入力に応じて、前記補正データの値を変更する更新データとを前記記憶部の別々の領域に記憶させる、ことを特徴とする請求項７記載の表示装置。
【請求項９】
前記補正データ生成部は、前記補正データ生成部が生成した補正データが、前記受付部で受け付けた入力に応じて変更されている場合であって、前記補正データ生成部が新たに補正データを生成する場合に、前記受付部で受け付けた入力に応じた変更を、新たに生成する補正データに適用するか否かを、前記受付部で受け付けた入力に応じて変更する、ことを特徴とする請求項７又は８記載の表示装置。
【請求項１０】
撮像部と、
画像データを入力する入力部と、
前記入力部から入力される画像データに対して補正を行い、補正後の画像データ又は補正を行っていない画像データを出力する第１補正部と、
前記第１補正部が出力する画像データを補正して出力する第２補正部と、
前記第２補正部が出力する画像データに基づく画像を投射する投射部と、
調整用画像データを生成する調整用画像生成部と、
前記調整用画像データを前記第２補正部に補正させ、前記投射部に投射させる補正制御部と、
前記調整用画像データに対し、前記第１補正部による補正が行われず、前記第２補正部による補正が行われた場合に、前記投射部が投射した画像を前記撮像部で撮像した撮像画像に基づいて前記第２補正部による補正に用いられる補正データを生成する補正データ生成部と、
を備えることを特徴とするプロジェクター。
【請求項１１】
画像データを入力する入力部と、
前記入力部から入力される画像データに対して補正を行い、補正後の画像データ又は補正を行っていない画像データを出力する第１補正部と、
前記第１補正部が出力する画像データを補正して出力する第２補正部と、
前記第２補正部が出力する画像データに基づく画像を表示面に表示する表示部と、を備える表示装置の制御方法であって、
調整用画像データを生成するステップと、
生成された前記調整用画像データを前記第２補正部で補正するステップと、
前記第２補正部で補正された前記調整用画像データに基づく画像を前記表示面に表示させるステップと、
前記調整用画像データに対し、前記第１補正部による補正が行われず、前記第２補正部による補正が行われた場合に、前記表示面に表示される画像の撮像画像に基づいて、前記第２補正部による補正に用いられる補正データを生成するステップと、
を有することを特徴とする表示装置の制御方法。
【発明の詳細な説明】
【技術分野】
【０００１】
本発明は、表示装置、プロジェクター、及び、表示装置の制御方法に関する。
【背景技術】
【０００２】
従来、投射部により投射される投射画像を撮像装置で撮像し、撮像された撮像画像に基づき投射画像を補正する技術が知られている（例えば、特許文献１参照）。特許文献１の画像処理システムは、撮像手段の撮像情報に基づいて画像の歪みや、色むらを補正する。
【先行技術文献】
【特許文献】
【０００３】
【特許文献１】特開２００５−１２４１３３号公報
【発明の概要】
【発明が解決しようとする課題】
【０００４】
ところで、表示装置には、事前に複数の表示モードが用意され、選択された表示モードに応じた補正を画像に行って、補正された画像を表示する機能が搭載されたものが知られている。表示モードとは、画像の種別や視聴環境等に応じて、表示される画像の画質を調整するモードである。このような表示装置において、撮像画像を用いて補正値を生成する場合、複数の表示モードごとに補正データを別途生成する必要があり、処理が煩雑になる場合があった。
本発明は上記事情に鑑みてなされたものであり、表示面を撮像した撮像画像に基づき、画像を補正する補正データを容易に生成し、生成した補正データを用いて画像を好適に処理することを目的とする。
【課題を解決するための手段】
【０００５】
上記目的を達成するために本発明の表示装置は、画像データを入力する入力部と、前記入力部から入力される画像データに対して補正を行い、補正後の画像データ又は補正を行っていない画像データを出力する第１補正部と、前記第１補正部が出力する画像データを補正して出力する第２補正部と、前記第２補正部が出力する画像データに基づく画像を表示面に表示する表示部と、調整用画像データを生成する調整用画像生成部と、前記調整用画像データを前記第２補正部に補正させ、前記表示部に表示させる補正制御部と、前記調整用画像データに対し、前記第１補正部による補正が行われず、前記第２補正部による補正が行われた場合に、前記表示面に表示される画像の撮像画像に基づいて、前記第２補正部による補正に用いられる補正データを生成する補正データ生成部と、を備えることを特徴とする。
本発明によれば、補正データを、第１補正部による補正を受けていない調整用画像データの撮像画像に基づいて生成することができる。従って、例えば、第１補正部が画像データに対する補正パターンを複数備えている場合であっても、補正パターンに影響されない補正データを生成することができる。このため、表示面を撮像した撮像画像に基づき、画像を補正する補正データを容易に生成し、生成した補正データを用いて画像を好適に処理することができる。
【０００６】
また、本発明は、上記表示装置において、前記第１補正部は、画像データに色変換を行う色変換部を少なくとも備え、前記第２補正部は、画像データの色むらを補正する色むら補正部と、画像データにガンマ補正を行うガンマ補正部とを備えることを特徴とする。
本発明によれば、補正データの生成の際には、色変換されていない調整用画像データに基づいて撮像画像が生成され、この撮像画像に基づいて補正データが生成される。このため、表示装置に予め設定された表示画質に依存しない、表示装置に固有の色特性に基づいて補正データを生成することができる。
【０００７】
また、本発明は、上記表示装置において、前記第１補正部は、画像データに色変換を行う色変換部と、画像の形状を補正する形状補正部とを備え、前記第２補正部は、画像データの色むらを補正する色むら補正部と、画像データにガンマ補正を行うガンマ補正部とを備えることを特徴とする。
本発明によれば、補正データの生成の際には、色変換が行われず、さらに、形状補正がされていない調整用画像データに基づいて撮像画像が生成され、この撮像画像に基づいて補正データが生成される。このため、表示装置に予め設定された表示画質に依存しない、表示装置に固有の色特性に基づいて補正データを生成することができる。また、調整用画像データが形状補正されていないため、補正データが生成できず、補正ができない画像データの領域が生じるのを防止することができる。
【０００８】
また、本発明は、上記表示装置において、前記色むら補正部は、事前に生成された補正データを用いて画像データの色むらを補正する第１色むら補正部と、前記補正データ生成部が生成した補正データを用いて画像データの色むらを補正する第２色むら補正部とを備えることを特徴とする。
本発明によれば、事前に用意された色むら補正を適用したまま、撮像画像に基づいて生成された、表示装置の使用環境に適した補正データに基づく色むら補正を追加することができる。
【０００９】
また、本発明は、上記表示装置において、前記補正データ生成部は、前記ガンマ補正部が補正に用いるガンマ補正値に対応して、複数の補正データを生成することを特徴とする。
本発明によれば、ガンマ補正値に対応した複数の補正データを生成することができる。従って、ガンマ補正部の複数の補正パターンに対応した補正を第２色むら補正部で行うことができる。
【００１０】
また、本発明は、上記表示装置において、前記補正データ生成部は、前回の補正データの生成の際に撮像された撮像画像の撮像値を目標値として、前記表示面に表示される画像の撮像画像の撮像値を、前記目標値に補正する補正データを生成することを特徴とする。
本発明によれば、前回の補正データの生成の際に撮像された撮像画像の撮像値を目標値として、表示面に表示される画像の撮像画像の撮像値を、目標値に補正する補正データが生成される。従って、経年劣化の補正が可能な補正データを容易に生成することができる。
【００１１】
また、本発明は、上記表示装置において、入力を受け付ける受付部を備え、前記補正データ生成部は、前記受付部で受け付けた入力に応じて、生成した前記補正データを変更することを特徴とする。
本発明によれば、受付部で受け付けた入力に応じて、補正データを変更することできる。従って、使用環境にさらに適した補正データを生成することができる。
【００１２】
また、本発明は、上記表示装置において、記憶部を備え、前記補正データ生成部は、前記補正データ生成部が生成した前記補正データと、前記受付部で受け付けた入力に応じて、前記補正データの値を変更する更新データとを前記記憶部の別々の領域に記憶させることを特徴とする。
本発明によれば、補正データ生成部が生成した補正データと、受付部で受け付けた入力に応じて変更された補正データとが記憶部の別々の領域に記憶される。従って、表示面に表示された調整用画像データを撮像して補正データを新たに生成する場合に、第１記憶部に記憶された補正データだけを更新することができる。
【００１３】
また、本発明は、上記表示装置において、前記補正データ生成部は、前記補正データ生成部が生成した補正データが、前記受付部で受け付けた入力に応じて変更されている場合であって、前記補正データ生成部が新たに補正データを生成する場合に、前記受付部で受け付けた入力に応じた変更を、新たに生成する補正データに適用するか否かを、前記受付部で受け付けた入力に応じて変更することを特徴とする。
本発明によれば、表示面に表示された調整用画像データを撮像して補正データを新たに生成する場合に、前回の補正データに対して行われた変更を、新たに生成する補正データに対して適用するか否かを選択することができる。
【００１４】
本発明のプロジェクターは、撮像部と、画像データを入力する入力部と、前記入力部から入力される画像データに対して補正を行い、補正後の画像データ又は補正を行っていない画像データを出力する第１補正部と、前記第１補正部が出力する画像データを補正して出力する第２補正部と、前記第２補正部が出力する画像データに基づく画像を投射する投射部と、調整用画像データを生成する調整用画像生成部と、前記調整用画像データを前記第２補正部に補正させ、前記表示部に表示させる補正制御部と、前記調整用画像データに対し、前記第１補正部による補正が行われず、前記第２補正部による補正が行われた場合に、前記投射部が投射した画像を前記撮像部で撮像した撮像画像に基づいて前記第２補正部による補正に用いられる補正データを生成する補正データ生成部とを備えることを特徴とする。
本発明によれば、補正データを、第１補正部による補正を受けていない調整用画像データの撮像画像に基づいて生成することができる。従って、例えば、第１補正部が画像データに対する補正パターンを複数備えている場合であっても、補正パターンに影響されない補正データを生成することができる。このため、投射された画像を撮像した撮像画像に基づき、画像を補正する補正データを容易に生成し、生成した補正データを用いて画像を好適に処理することができる。
【００１５】
本発明の表示装置の制御方法は、画像データを入力する入力部と、前記入力部から入力される画像データに対して補正を行い、補正後の画像データ又は補正を行っていない画像データを出力する第１補正部と、前記第１補正部が出力する画像データを補正して出力する第２補正部と、前記第２補正部が出力する画像データに基づく画像を表示面に表示する表示部と、を備える表示装置の制御方法であって、調整用画像データを生成するステップと、生成された前記調整用画像データを前記第２補正部で補正するステップと、前記第２補正部で補正された前記調整用画像データに基づく画像を前記表示面に表示させるステップと、前記調整用画像データに対し、前記第１補正部による補正が行われず、前記第２補正部による補正が行われた場合に、前記表示面に表示される画像の撮像画像に基づいて、前記第２補正部による補正に用いられる補正データを生成するステップとを有することを特徴とする。
本発明によれば、補正データを、第１補正部による補正を受けていない調整用画像データの撮像画像に基づいて生成することができる。従って、例えば、第１補正部が画像データに対する補正パターンを複数備えている場合であっても、補正パターンに影響されない補正データを生成することができる。このため、表示面を撮像した撮像画像に基づき、画像を補正する補正データを容易に生成し、生成した補正データを用いて画像を好適に処理することができる。
【図面の簡単な説明】
【００１６】
【図１】プロジェクターの構成図。
【図２】制御部及び画像処理部の構成図。
【図３】制御部の動作を示すフローチャート。
【発明を実施するための形態】
【００１７】
以下、図面を参照して本発明の実施形態について説明する。
図１は、プロジェクター１００の構成を示す構成図である。
プロジェクター１００は、パーソナルコンピューターや各種映像プレーヤー等の外部の画像供給装置２００に接続され、画像供給装置２００から供給される画像信号に基づく画像を投射対象に投射する装置である。
画像供給装置２００には、例えば、ビデオ再生装置、ＤＶＤ（Digital Versatile Disk）再生装置、テレビチューナー装置、ＣＡＴＶ（Cable television）のセットトップボックス、ビデオゲーム装置等の映像出力装置、パーソナルコンピューター等を用いることができる。
また、投射対象は、建物や物体など、一様に平らではない物体であってもよいし、スクリーンＳＣや、建物の壁面等の平らな投射面を有するものであってもよい。本実施形態では平面のスクリーンＳＣ（表示面）に投射する場合を例示する。
【００１８】
プロジェクター１００は、画像入力インターフェース部（以下、画像入力Ｉ／Ｆ部と略記する）１５１を備える。画像入力Ｉ／Ｆ部１５１は、ケーブルを接続するコネクター及びインターフェース回路（いずれも図示略）を備え、ケーブルにより接続された画像供給装置２００から供給される画像信号を入力する。画像入力Ｉ／Ｆ部１５１は、入力された画像信号を画像データに変換して画像処理部１６０に出力する。画像入力Ｉ／Ｆ部１５１は、本発明の「入力部」に相当する。
画像入力Ｉ／Ｆ部１５１が備えるインターフェースは、例えば、Ｅｔｈｅｒｎｅｔ（登録商標）、ＩＥＥＥ１３９４、ＵＳＢ等のデータ通信用のインターフェースであってもよい。また、画像入力Ｉ／Ｆ部１５１のインターフェースは、ＭＨＬ（登録商標）、ＨＤＭＩ（登録商標）、ＤｉｓｐｌａｙＰｏｒｔ等の画像データ用のインターフェースであってもよい。
また、画像入力Ｉ／Ｆ部１５１は、コネクターとして、アナログ映像信号が入力されるＶＧＡ端子や、デジタル映像データが入力されるＤＶＩ（Digital Visual Interface）端子を備える構成であってもよい。さらに、画像入力Ｉ／Ｆ部１５１は、Ａ／Ｄ変換回路を備え、ＶＧＡ端子を介してアナログ映像信号が入力された場合、Ａ／Ｄ変換回路によりアナログ映像信号を画像データに変換し、画像処理部１６０に出力する構成であってもよい。
【００１９】
プロジェクター１００は、光学的な画像の形成を行い、スクリーンＳＣに画像を投射（表示）する表示部１１０を備える。表示部１１０は、光源部１１１、光変調装置１１２及び投射光学系１１３を備える。表示部１１０は、本発明の「投射部」に相当する。
【００２０】
光源部１１１は、キセノンランプ、超高圧水銀ランプ、ＬＥＤ（Light Emitting Diode）又はレーザー光源等の光源を備える。また、光源部１１１は、光源が発した光を光変調装置１１２に導くリフレクター及び補助リフレクターを備えていてもよい。さらに、光源部１１１は、投射光の光学特性を高めるためのレンズ群、偏光板、又は光源が発した光の光量を光変調装置１１２に至る経路上で低減させる調光素子等（いずれも図示略）を備えていてもよい。
【００２１】
光源部１１１は、光源駆動部１２１により駆動される。光源駆動部１２１は、内部バス１９０に接続される。光源駆動部１２１は、制御部１８０の制御に従って、光源部１１１の光源を点灯及び消灯させる。
【００２２】
光変調装置１１２は、例えば、赤色（Ｒ）、緑色（Ｇ）及び青色（Ｂ）の三原色に対応した３枚の液晶パネルを備える。光源部１１１が発する光はＲＧＢの３色の色光に分離され、対応する液晶パネルに入射される。３枚の液晶パネルは、透過型の液晶パネルであり、透過する光を変調して画像光を生成する。各液晶パネルを通過して変調された画像光は、クロスダイクロイックプリズム等の合成光学系によって合成され、投射光学系１１３に射出される。
【００２３】
光変調装置１１２には、光変調装置駆動部１２２が接続される。光変調装置駆動部１２２は、内部バス１９０に接続される。
光変調装置駆動部１２２は、画像処理部１６０から入力される表示画像データ（後述する）に基づき、Ｒ，Ｇ，Ｂの各色に対応した表示画像信号を生成する。光変調装置駆動部１２２は、生成したＲ，Ｇ，Ｂの各色の表示画像信号に基づいて、光変調装置１１２の各色の液晶パネルを駆動し、各液晶パネルに画像光を描画する。
【００２４】
投射光学系１１３は、光変調装置１１２により変調された画像光をスクリーンＳＣに投射して、スクリーンＳＣ上に結像させるレンズ群を備える。また、投射光学系１１３は、スクリーンＳＣに投射される画像（以下、投射画像という）の拡大・縮小及び焦点の調整を行うズーム機構、フォーカスの調整を行うフォーカス調整機構を備えていてもよい。
【００２５】
プロジェクター１００は、操作パネル１３１及び入力処理部１３３を備える。入力処理部１３３は、内部バス１９０に接続される。操作パネル１３１及び入力処理部１３３は、本発明の「受付部」に相当する。
ユーザーインターフェースとして機能する操作パネル１３１は、各種の操作キーや、液晶パネルにて構成された表示画面を有する。入力処理部１３３は、操作パネル１３１に表示された操作キーが操作されると、操作されたキーに対応したデータを制御部１８０に出力する。また、入力処理部１３３は、制御部１８０の制御に従って、操作パネル１３１の表示画面に各種画像を表示させる。
また、操作パネル１３１の表示画面には、操作パネル１３１への接触を検出するタッチセンサーが重ね合わされて一体形成される。入力処理部１３３は、ユーザーの指等が接触した操作パネル１３１の位置を入力位置として検出し、検出した入力位置に対応したデータを制御部１８０に出力する。
【００２６】
また、プロジェクター１００は、ユーザーが使用するリモコン５から送信される赤外線信号を受光するリモコン受光部１３２を備える。リモコン受光部１３２は、入力処理部１３３に接続される。リモコン５及びリモコン受光部１３２は、本発明の「受付部」に相当する。
リモコン受光部１３２は、リモコン５から送信される赤外線信号を受光する。入力処理部１３３は、リモコン受光部１３２が受光した赤外線信号をデコードして、リモコン５における操作内容を示すデータを生成し、制御部１８０に出力する。
【００２７】
プロジェクター１００は、撮像部１４０を備える。
撮像部１４０は、撮像光学系、撮像素子及びインターフェース回路等を有するカメラを備え、制御部１８０の制御に従って投射光学系１１３の投射方向を撮像し、撮像画像データを生成する。また、撮像部１４０は、カラーフィルター、例えばＲＧＢフィルターを備え、このフィルターを透過した光が結像する位置に、ＣＣＤ（Charge Coupled Device）、ＣＭＯＳ（Complementary Metal Oxide Semiconductor）等の撮像素子が設置される。撮像部１４０の撮像範囲、すなわち画角は、スクリーンＳＣとその周辺部とを含む範囲である。撮像部１４０は、生成した撮像画像データを制御部１８０に出力する。
【００２８】
プロジェクター１００は、無線通信部１４５を備える。無線通信部１４５は、内部バス１９０に接続される。無線通信部１４５は、図示しないアンテナやＲＦ（Radio Frequency）回路等を備え、制御部１８０の制御の下、外部の装置との間で無線通信を実行する。無線通信部１４５の無線通信方式は、例えば無線ＬＡＮ（Local Area Network）、Bluetooth（登録商標）、ＵＷＢ（Ultra Wide Band）、赤外線通信等の近距離無線通信方式、又は携帯電話回線を利用した無線通信方式を採用できる。
【００２９】
プロジェクター１００は、画像処理系を備える。画像処理系は、プロジェクター１００の全体を統括的に制御する制御部１８０を中心に構成され、この他に、画像処理部１６０、フレームメモリー１５５、第１パラメーター記憶部１７１、第２パラメーター記憶部１７２、第３パラメーター記憶部１７３及び不揮発記憶部１７５を備える。制御部１８０、画像処理部１６０、第１〜第３パラメーター記憶部１７１〜１７３及び不揮発記憶部１７５は、内部バス１９０に接続される。
【００３０】
画像処理部１６０は、制御部１８０の制御に従って、画像入力Ｉ／Ｆ部１５１から入力される画像データをフレームメモリー１５５に展開し、展開した画像データに対して画像処理を実行する。画像処理部１６０が実行する画像処理には、例えば、色変換、形状補正、色むら補正、ガンマ補正等が含まれる。また、画像処理部１６０は、これら以外の画像処理、例えば、解像度変換（スケーリング）処理やフレームレート変換処理、ズーム処理、輝度補正処理を実行することも可能であり、これらの画像処理を組み合わせて実行することも勿論可能である。画像処理部１６０の詳細な構成については、図２を参照しながら説明する。
【００３１】
第１パラメーター記憶部１７１、第２パラメーター記憶部１７２及び第３パラメーター記憶部１７３は、ＤＲＡＭやＳＲＡＭ等の揮発性メモリーにより構成してもよいし、フラッシュメモリーや、ＥＥＰＲＯＭ等の不揮発性のメモリーにより構成してもよい。本実施形態では、第１〜第３パラメーター記憶部１７１〜１７３は、揮発性メモリーにより構成される場合について説明する。
【００３２】
第１パラメーター記憶部１７１は、後述する第１色むら補正部１６８（図２参照）が色むら補正に使用する第１補正データ（補正データ）と、後述するガンマ補正部１６７がガンマ補正に使用するガンマ補正値をパラメーターとして記憶する。制御部１８０は、ＯＳの起動時に不揮発記憶部１７５から第１補正データ及びガンマ補正値を読み出して、第１パラメーター記憶部１７１に記憶させる。
これら第１補正データ及びガンマ補正値は、プロジェクター１００の製造時に用意されるデータであり、プロジェクター１００が有する表示モードに応じて複数用意される。表示モードとは、画像の種別や視聴環境等に応じて、表示される画像の画質を調整するモードである。表示モードには、例えば、明るい環境で、暗部の階調表現を重視する視聴に適する「ダイナミック」や、薄明かりの中での視聴に適する「リビング」、暗い環境下での映画鑑賞に適する「シアター」、明るい環境で写真などの静止画像を投写するのに適する「フォト」、明るい環境でカラーの資料を使ってプレゼンテーションするのに適する「プレゼンテーション」、明るい環境でゲームをするのに適する「ゲーム」等のモードがある。
また、第１補正データは、ユーザーの操作パネル１３１の操作又はリモコン５の操作により変更することも可能である。この場合、プロジェクター１００の製造時に用意された第１補正データ自体は変更を加えることなく不揮発記憶部１７５に記憶させ、第１補正データの複製を変更するとよい。
【００３３】
第２パラメーター記憶部１７２は、後述する第２色むら補正部１６６（図２参照）が色むら補正に使用する第２補正データ（補正データ）をパラメーターとして記憶する。制御部１８０は、ＯＳの起動時に不揮発記憶部１７５から第２補正データを読み出し、第２パラメーター記憶部１７２に記憶させる。この第２補正データは、スクリーンＳＣに投射された調整用画像を撮像した撮像画像データに基づいて生成される補正データである。また、調整用画像については後述する。また、この第２補正データは、ユーザーの操作パネル１３１又はリモコン５の操作により変更することも可能である。
【００３４】
第３パラメーター記憶部１７３は、後述する色変換部１６２（図２参照）が色変換に使用するパラメーター（以下、色変換パラメーターという）を記憶する。制御部１８０は、ＯＳの起動時に不揮発記憶部１７５から色変換パラメーターを読み出し、第３パラメーター記憶部に記憶させる。
この色変換パラメーターは、プロジェクター１００の製造時に用意されるデータであり、プロジェクター１００が有する表示モードに応じて複数用意される。また、この色変換パラメーターは、ユーザーの操作パネル１３１の操作又はリモコン５の操作により変更することも可能である。この場合、プロジェクター１００の製造時に用意された色変換パラメーター自体は変更を加えることなく不揮発記憶部１７５に記憶させ、色変換パラメーターの複製を変更するとよい。
【００３５】
不揮発記憶部１７５は、フラッシュメモリー、ＥＥＰＲＯＭ等の不揮発性のメモリーや、ＨＤＤ（hard disk drive）により構成される。不揮発記憶部１７５は、制御部１８０が処理するデータや制御部１８０が実行する制御プログラムを不揮発的に記憶する。また、不揮発記憶部１７５は、画像処理部１６０が実行する各種処理の設定値や、制御部１８０が参照するテーブルを記憶する。
さらに、不揮発記憶部１７５は、第２補正データを生成する際に、スクリーンＳＣ等の投射対象に投射されるパターン画像データを記憶する。パターン画像データは、例えば、格子パターンであって、パターン画像データの四隅に所定のマークが形成された画像データである。所定のマークは、パターン画像データの四隅を検出する際に用いられる。
【００３６】
制御部１８０は、ＣＰＵ、ＲＯＭ及びＲＡＭ（いずれも図示略）等のハードウェアを備える。ＲＯＭは、フラッシュＲＯＭ等の不揮発性の記憶装置であり、制御プログラムやデータを格納する。ＲＡＭは、ＣＰＵのワークエリアを構成する。ＣＰＵは、ＲＯＭや不揮発記憶部１７５から読み出した制御プログラムをＲＡＭに展開し、ＲＡＭに展開された制御プログラムを実行してプロジェクター１００の各部を制御する。
【００３７】
また、制御部１８０は、機能ブロックとして、投射制御部１８１と、撮像制御部１８２と、調整用画像生成部１８３と、補正制御部１８４と、補正データ生成部１８５とを備える。これらの機能ブロックは、ＲＯＭや不揮発記憶部１７５に記憶された制御プログラムをＣＰＵが実行することで実現される。
【００３８】
投射制御部１８１は、スクリーンＳＣへの画像の投射を実行する。例えば、投射制御部１８１は、光源駆動部１２１を制御して光源部１１１の光源を点灯させ、光源の輝度を調整させる。これにより、光源が発光し、光変調装置１１２が変調する画像光が投射光学系１１３によりスクリーンＳＣに投射される。
【００３９】
撮像制御部１８２は、撮像部１４０に撮像を実行させ、撮像部１４０が生成した撮像画像データを取得する。
また、撮像制御部１８２は、取得した撮像画像データが後述するパターン画像データを撮像したデータである場合には、撮像画像データをそのまま補正制御部１８４に出力する。また、撮像制御部１８２は、取得した撮像画像データが後述する調整用画像を撮像したデータである場合、撮像画像データを構成する各画素の画素値を、ＣＩＥ１９３１標準表色系のＸＹＺ色空間におけるＸＹＺ値に変換して、補正制御部１８４に出力する。
【００４０】
調整用画像生成部１８３は、画質調整の指示を操作パネル１３１又はリモコン５により受け付けると、調整用画像データを生成する。調整用画像データは、例えば、Ｒ，Ｇ，Ｂの各色のラスター画像であり、調整用画像生成部１８３は、予め設定された複数階調ごとに調整用画像データを生成する。
【００４１】
補正制御部１８４は、第１画像処理部１６１及び第２画像処理部１６５を制御して、画像処理部１６０が画像データに対して行う画像処理を制御する。画像データには、画像入力Ｉ／Ｆ部１５１から入力される画像データの他に、調整用画像生成部１８３が生成した調整用画像データが含まれる。
補正制御部１８４は、画像処理部１６０に、画像入力Ｉ／Ｆ部１５１から画像データが入力されると、第１画像処理部１６１及び第２画像処理部１６５に補正を実行させる。この際、補正制御部１８４は、第１画像処理部１６１及び第２画像処理部１６５が処理に必要なパラメーターを不揮発記憶部１７５から読み出して、画像処理部１６０に出力してもよい。
また、補正制御部１８４は、画質調整の指示を操作パネル１３１又はリモコン５により受け付け、調整用画像生成部１８３が調整用画像データを生成すると、この調整用画像データを第１画像処理部１６１に出力することなく、第２画像処理部１６５に出力する。すなわち、調整用画像生成部１８３は、第１画像処理部１６１に、調整用画像データに対する補正を行わせることなく、第２画像処理部１６５に調整用画像データを出力する。
【００４２】
補正データ生成部１８５は、スクリーンＳＣに投射された調整用画像データに基づく画像（以下、調整用画像という）を撮像した撮像画像データに基づいて、第２画像処理部１６５による補正に用いられる第２補正データを生成する。補正データ生成部１８５は、調整用画像データに対し、第１画像処理部１６１による補正が行われず、第２画像処理部１６５による補正が行われた場合に、第２補正データを生成する。
補正データ生成部１８５は、スクリーンＳＣに投射された調整用画像の撮像画像データに基づいて、スクリーンＳＣに投射される画像の画質を、設定された画質調整の目標値に補正する第２補正データを生成する。画質調整の目標値は、例えば、前回の画質調整の際に、撮像部１４０が撮像した撮像画像データであって、同一の色及び同一の階調の調整用画像を撮像した撮像画像データの撮像値に基づいて設定される。目標値は、撮像画像データから得られる値とすることができる。具体的には、撮像画像データの中心の画素値(ＸＹＺ値)とすることができる。また、例えば、ガンマ補正を行った際の目標値（ＸＹＺ値）であってもよい。また、目標値は、予め設定された色座標値であってもよい。
【００４３】
図２は、画像処理部１６０の構成を示す図である。なお、図２には、データの送受信するデータ線を示し、制御部１８０（特に、補正制御部１８４）と、第１画像処理部１６１及び第２画像処理部１６５とを接続する制御信号線の図示は省略している。
画像処理部１６０は、第１画像処理部１６１と、第２画像処理部１６５とを備える。第１画像処理部１６１は、色変換部１６２と、形状補正部１６３とを備える。また、第２画像処理部１６５は、第２色むら補正部１６６と、ガンマ補正部１６７と、第１色むら補正部１６８とを備える。第１画像処理部１６１は、本発明の「第１補正部」に相当し、第２画像処理部１６５は、本発明の「第２補正部」に相当する。
【００４４】
色変換部１６２には、画像入力Ｉ／Ｆ部１５１から画像データが入力される。また、色変換部１６２は、第３パラメーター記憶部１７３と、フレームメモリー１５５とが接続される。
色変換部１６２は、画像入力Ｉ／Ｆ部１５１から入力される画像データをフレームメモリー１５５に展開する。色変換部１６２は、補正制御部１８４から通知される表示モードに対応した色変換パラメーターを第３パラメーター記憶部１７３から読み出す。色変換部１６２は、読み出した色変換パラメーターを用いて、フレームメモリー１５５に展開された画像データを色変換する。例えば、色変換部１６２は、表示モードに応じて、画像データの輝度が最大となるように色変換したり、ｓＲＧＢ等の色空間に対応した画像データに変換したりする。
【００４５】
形状補正部１６３には、色変換部１６２により色変換された画像データが入力される。また、形状補正部１６３は、フレームメモリー１５５に接続され、色変換部１６２により入力される画像データをフレームメモリー１５５に展開する。
形状補正部１６３は、制御部１８０から入力される補正パラメーターに従って画像データの形状を変換し、スクリーンＳＣに投射される画像の形状を補正する。
【００４６】
第２色むら補正部１６６には、形状補正部１６３により形状補正された画像データが入力される。また、第２色むら補正部１６６は、第２パラメーター記憶部１７２及びフレームメモリー１５５に接続される。
第２色むら補正部１６６は、第２パラメーター記憶部１７２から第２補正データを読み出し、読み出した第２補正データを用いて、フレームメモリー１５５に展開された画像データの色むらを補正する。
また、第２色むら補正部１６６は、調整用画像生成部１８３により生成された調整用画像データが入力されると、入力された調整用画像データに対し、色むら補正を行うことなくガンマ補正部１６７に出力する。
【００４７】
ガンマ補正部１６７は、第２色むら補正部１６６により補正された画像データが入力される。また、ガンマ補正部１６７には、第１パラメーター記憶部１７１及びフレームメモリー１５５が接続される。
ガンマ補正部１６７は、第２色むら補正部１６６から入力される画像データをフレームメモリー１５５に展開する。ガンマ補正部１６７は、補正制御部１８４から通知される表示モードに対応したガンマ補正値を第１パラメーター記憶部１７１から読み出す。ガンマ補正部１６７は、読み出したガンマ補正値を用いて、フレームメモリー１５５に展開された画像データに対しガンマ補正を行う。
【００４８】
第１色むら補正部１６８は、ガンマ補正部１６７により補正された画像データが入力される。また、第１色むら補正部１６８には、第１パラメーター記憶部１７１及びフレームメモリー１５５が接続される。
第１色むら補正部１６８は、ガンマ補正部１６７から入力される画像データをフレームメモリー１５５に展開する。第１色むら補正部１６８は、補正制御部１８４から通知される表示モードに対応した第１補正データを第１パラメーター記憶部１７１から読み出し、読み出した第１補正データを用いて、フレームメモリー１５５に展開された画像データの色むらを補正する。
第１色むら補正部１６８は、第２色むら補正部１６６と同様の構成を備える。第１色むら補正部１６８と第２色むら補正部１６６とは、色むら補正を行う画像データの画素数が異なる。第１色むら補正部１６８は、第２色むら補正部１６６よりも色むら補正を行う画素数が多い。
また、第１色むら補正部１６８と第２色むら補正部１６６とは、色むら補正に使用する補正データが異なる。第１色むら補正部１６８が色むら補正に使用する第１補正データは、プロジェクター１００の製造時に、プロジェクター１００の表示モードごとに用意された補正データである。第２色むら補正部１６６が色むら補正に使用する第２補正データは、スクリーンＳＣに投射された調整用画像を撮像した撮像画像データに基づいて生成される、ユーザーの使用環境に応じて生成された補正データである。
【００４９】
図３は、制御部１８０の動作を示すフローチャートである。
制御部１８０は、入力処理部１３３からの入力を監視し、画質調整の開始を指示する入力を受け付けたか否かを判定する（ステップＳ１）。否定判定の場合（ステップＳ１／ＮＯ）、制御部１８０は、他に指示が入力されている場合には、入力された指示に応じた処理を行い、ステップＳ１の判定に戻る。また、肯定判定の場合（ステップＳ１／ＹＥＳ）、制御部１８０は、不揮発記憶部１７５からパターン画像データを読み出して画像処理部１６０に処理させる。画像処理部１６０は、入力されたパターン画像データをフレームメモリー１５５に展開して処理し、処理後のパターン画像データを表示画像データとして表示部１１０に出力する。表示部１１０は、入力された表示画像データ（パターン画像データ）に基づく画像（以下、パターン画像という）をスクリーンＳＣに投射する（ステップＳ２）。
【００５０】
ここで指示された画質調整は、スクリーンＳＣに投射される投射画像の画質の劣化を補正し、プロジェクター１００の製造時の画質に戻す調整であるとする。例えば、光源部１１１の備える光源は、温度変化や経年劣化などにより、その特性が変化するため、所望の画像輝度を得られるように光量を補正する必要がある。
また、プロジェクター１００が備える画質調整には、この他に、スクリーンＳＣや環境照明の色味を補正して、投射画像の色あいを予め設定された色あいに補正する画質調整や、複数台のプロジェクター１００が投射する投射画像の色合いを一致させる画質調整等が存在する。これらの画質調整についても以下に示す同様の手順により補正データを生成することができる。
【００５１】
パターン画像がスクリーンＳＣに投射されると、撮像制御部１８２は、撮像部１４０を制御してスクリーンＳＣ方向を撮像し、撮像画像データを生成する（ステップＳ３）。撮像制御部１８２は、生成した撮像画像データを補正制御部１８４に出力する。
【００５２】
補正制御部１８４は、入力された撮像画像データに基づいて、撮像画像データにおける座標（以下、撮像座標という）と、光変調装置１１２の液晶パネルにおける座標（以下、パネル座標という）とを対応付ける（ステップＳ４）。
補正制御部１８４は、撮像画像データに写ったパターン画像のマークを検出して、撮像画像データに写ったパターン画像の四隅の位置を特定し、撮像画像データにおける四隅の画素位置を特定する。また、補正制御部１８４は、パターン画像データに形成されたマークが展開された液晶パネルの画素位置を特定して、撮像画像データにおける画素位置と、液晶パネルにおける画素位置とを対応付ける。これにより、撮像座標と、パネル座標とが対応付けられる。
パターン画像データに形成されたマークが展開される液晶パネルの画素位置は、例えば、事前に設定済みであり、補正データ生成部１８５が不揮発記憶部１７５からマークが展開される液晶パネルの画素位置の情報を取得してもよい。
また、画像処理部１６０がパターン画像をフレームメモリー１５５に展開した際に、マークが展開されるフレームメモリー１５５の画素位置に基づいて、液晶パネルの画素位置を特定し、液晶パネルの画素位置を示す情報を制御部１８０に出力してもよい。フレームメモリー１５５の画素と、液晶パネルの画素とを対応付ける情報は、事前に用意され、例えば、不揮発記憶部１７５に記憶されているものとする。
【００５３】
撮像座標とパネル座標とが対応付けられると、補正制御部１８４は、調整用画像生成部１８３に、調整用画像データの生成を指示する。補正制御部１８４は、生成する調整用画像データの色及び階調を指定して、調整用画像生成部１８３に、調整用画像データの生成を指示する。調整用画像生成部１８３は、補正制御部１８４から指定された色及び階調の調整用画像データを生成する。
調整用画像生成部１８３により生成された調整用画像データは、補正制御部１８４の制御により、画像処理部１６０の第２色むら補正部１６６に入力される。すなわち、調整用画像データは、第１画像処理部１６１による処理を施されることなく、第２画像処理部１６５の第２色むら補正部１６６に入力される。
【００５４】
第２色むら補正部１６６は、入力された調整用画像データに対し、補正を行うことなく、ガンマ補正部１６７に出力する。ガンマ補正部１６７及び第１色むら補正部１６８には、補正制御部１８４から表示モードの指示が入力される。
ガンマ補正部１６７は、補正制御部１８４から指定された表示モードに対応するガンマ補正値を第１パラメーター記憶部１７１から読み出し、入力された調整用画像データをガンマ補正する。また、第１色むら補正部１６８は、補正制御部１８４から指定された表示モードに対応する第１補正データを第１パラメーター記憶部１７１から読み出し、入力された調整用画像データを色むら補正する。
【００５５】
ガンマ補正部１６７及び第１色むら補正部１６８により補正された調整用画像データは、表示画像データとして光変調装置駆動部１２２に出力される。光変調装置駆動部１２２は、入力された表示画像データに基づいて、Ｒ，Ｇ，Ｂの表示画像信号を生成し、光変調装置１１２の対応する液晶パネルを駆動する。これにより、液晶パネルに、表示画像信号（すなわち、調整用画像データ）に基づく画像が描画され、投射光学系１１３によりスクリーンＳＣに投射される（ステップＳ５）。
【００５６】
調整用画像がスクリーンＳＣに投射されると、補正制御部１８４は、撮像制御部１８２に撮像画像データの生成を指示する。撮像制御部１８２は、撮像部１４０を制御してスクリーンＳＣ方向を撮像し、撮像画像データを生成する（ステップＳ６）。撮像制御部１８２は、生成した撮像画像データを構成する各画素の画素値を、ＸＹＺ色空間におけるＸＹＺ値に変換して補正制御部１８４に出力する。ＸＹＺ値に変換された撮像画像データを、以下では「撮像画像データ（ＸＹＺ値）」と表記する。
補正制御部１８４は、撮像制御部１８２から入力された撮像画像データ（ＸＹＺ値）を不揮発記憶部１７５に記憶させる。
【００５７】
次に、補正制御部１８４は、Ｒ，Ｇ，Ｂのすべての色の調整用画像データを、すべての階調で生成し、スクリーンＳＣに投射して撮像画像データを生成したか否かを判定する（ステップＳ７）。否定判定の場合（ステップＳ７／ＮＯ）、補正制御部１８４は、調整用画像生成部１８３が生成する調整用画像データの色及び階調の少なくとも一方を変更して、生成された調整用画像データに基づく調整用画像をスクリーンＳＣに投射させる。そして、補正制御部１８４は、撮像制御部１８２に、調整用画像を撮像した撮像画像データ（ＸＹＺ値）を生成させる。
【００５８】
また、ステップＳ７の判定が肯定判定の場合（ステップＳ７／ＹＥＳ）、補正制御部１８４は、補正データ生成部１８５に、第２補正データの生成を指示する。
補正データ生成部１８５は、不揮発記憶部１７５から色ごと及び階調ごとに生成された撮像画像データ（ＸＹＺ値）を読み出し、第２補正データを、色ごと及び階調ごとに生成する（ステップＳ８）。
不揮発記憶部１７５には、前回の画質調整の際に生成された撮像画像データ（ＸＹＺ値）が記憶されている。補正データ生成部１８５は、前回の画質調整の際に生成した撮像画像データ（ＸＹＺ値）から得られる値を目標値として、今回の画質調整により生成した撮像画像データ（ＸＹＺ値）を補正する第２補正データを生成する。目標値には、例えば、撮像画像データの中心の画素値(ＸＹＺ値)とすることができる。また、例えば、ガンマ補正を行った際の目標値（ＸＹＺ値）であってもよい。また、目標値は、予め設定された色座標値であってもよい。
【００５９】
また、補正データ生成部１８５は、第２補正データを算出すると、算出した第２補正データが有効なデータであるか否かを判定する。
例えば、補正データ生成部１８５は、前回算出した第２補正データと、今回算出した第２補正データとの差を求め、求めた差が事前に設定された第１しきい値よりも大きい場合には、今回算出した第２補正データは無効であると判定する。また、補正データ生成部１８５は、前回算出した第２補正データと、今回算出した第２補正データとの差が、事前に設定された第２しきい値よりも小さい場合にも、今回算出した第２補正データは無効であると判定する。なお、第１しきい値は、第２しきい値よりも値の大きいしきい値である。
補正データ生成部１８５は、算出した第２補正データが有効な補正データであると判定すると、求めた第２補正データを第２パラメーター記憶部１７２に記憶させる（ステップＳ９）。
【００６０】
このフローチャートでは、１つの表示モードに対応した第２補正データを生成する場合を説明するが、プロジェクター１００が備える表示モードに応じて複数の第２補正データを生成してもよい。すなわち、表示モードに応じて、ガンマ補正部１６７が補正に用いるガンマ補正値と、第１色むら補正部１６８が補正に用いる第１補正データとを変更し、プロジェクター１００が備える表示モードに対応して複数の第２補正データを生成する。
【００６１】
第２補正データが生成され、第２パラメーター記憶部１７２に記憶されると、制御部１８０は、画像供給装置２００が画像信号の供給を開始し、画像信号が入力されるまで待機する。制御部１８０は、画像供給装置２００から画像信号の入力がない場合には（ステップＳ１０／ＮＯ）、画像信号が入力されるまで処理を待機する。また、画像供給装置２００による画像信号の供給が開始されると（ステップＳ１０／ＹＥＳ）、制御部１８０は、入力された画像信号を画像入力Ｉ／Ｆ部１５１で画像データに変換させ、画像処理部１６０に出力させる。
【００６２】
また、補正制御部１８４は、画像信号の供給が開始されると、操作パネル１３１又はリモコン５の操作により事前に受け付けていた表示モードを、画像処理部１６０の色変換部１６２、ガンマ補正部１６７、第１色むら補正部１６８に通知する。
【００６３】
画像処理部１６０は、画像入力Ｉ／Ｆ部１５１から入力される画像データを第１画像処理部１６１でまず処理する（ステップＳ１１）。具体的には、色変換部１６２は、補正制御部１８４から通知される表示モードに対応した色変換パラメーターを第３パラメーター記憶部１７３から読み出し、読み出した色変換パラメーターに従って、画像入力Ｉ／Ｆ部１５１から入力される画像データを色変換する。また、形状補正部１６３は、色変換部１６２により色変換された画像データの形状補正を行い、補正された画像データを第２画像処理部１６５に出力する。
【００６４】
第２画像処理部１６５は、第１画像処理部１６１で処理された画像データをさらに処理する（ステップＳ１２）。
具体的には、第２色むら補正部１６６は、第２パラメーター記憶部１７２に記憶された第２補正データを読み出し、形状補正部１６３により形状補正された画像データの色むらを補正する。
ガンマ補正部１６７は、補正制御部１８４から通知された表示モードに対応したガンマ補正値を第１パラメーター記憶部１７１から読み出し、読み出したガンマ補正値により第２色むら補正部１６６から入力される画像データをガンマ補正する。
第１色むら補正部１６８は、補正制御部１８４から通知された表示モードに対応した第１補正データを第１パラメーター記憶部１７１から読み出し、読み出した第１補正データによりガンマ補正部１６７から入力される画像データを補正する。
第１色むら補正部１６８は、色むら補正した画像データを表示画像データとして表示部１１０の光変調装置駆動部１２２に出力する。
【００６５】
表示部１１０は、光変調装置駆動部１２２が入力された表示画像データに基づいてＲ，Ｇ，Ｂの表示画像信号を生成し、生成した表示画像信号により光変調装置１１２の対応する色の液晶パネルを駆動する。これにより、各色の液晶パネルに画像光が描画される。表示部１１０は、各液晶パネルに描画された画像光を、投射光学系１１３によりスクリーンＳＣに投射して表示する（ステップＳ１３）。
【００６６】
上述したフローチャートでは、第２補正データを、撮像画像データのすべての画素で生成する場合について説明したが、第２補正データを、撮像画像データの所定の画素ごとに生成してもよい。この場合、第２補正データを生成していない画素については、第２補正データが算出された隣接画素の値を用いた直線補間により算出することができる。
【００６７】
第２パラメーター記憶部１７２に記憶させた第２補正データは、ユーザーの操作によって変更し、微調整することが可能である。例えば、操作パネル１３１に格子パターンを表示して、操作パネル１３１のボタン等により、ユーザーに第２補正データの値を変更する格子点を選択させる。また、格子パターンのすべての格子点を一括して選択することも可能である。また、選択された格子点又はすべての格子点において、第２補正データの値を変更する変更量を操作パネル１３１又はリモコン５により入力させる。補正制御部１８４は、入力された変更量と、変更する格子点の位置情報とを対応付けたデータセットを変更データ（更新データ）として第２パラメーター記憶部１７２に記憶させる。
【００６８】
操作パネル１３１に表示させる格子パターンは、格子パターンを構成する格子点の数が、補正データ生成部１８５が所定画素ごとに生成した第２補正データの数よりも少なくなるように形成するとよい。ユーザーにより格子パターンの格子点が選択されると、選択された格子点と一致する画素（以下、選択画素という）の第２補正データの値を、ユーザーから入力される変更量に基づいて変更し、さらに、選択画素の周囲の画素も、選択画素からの距離に応じた変更量により第２補正データの値を変更するとよい。
【００６９】
また、撮像部１４０の撮像画像データに基づいて生成される第２補正データには、撮像部１４０の感度ばらつき等によって誤差が生じる場合がある。この誤差は、繰り返し発生する誤差であるため、撮像画像データに基づいて生成される第２補正データと、この第２補正データの値を変更する変更データとを第２パラメーター記憶部１７２の別の記憶領域に記憶させておくとよい。これにより、第２補正データを再度生成する場合に、第２補正データだけを更新することで、ユーザーが更新された第２補正データを改めて変更する手間を省くことができる。また、第２補正データを記憶させる記憶部と、変更データを記憶させる記憶部とをそれぞれに設けてもよい。
【００７０】
また、第２補正データを生成する際に、変更データを引き継ぎ、新たに生成された第２補正データに変更データを適用するか、変更データを消去するかを選択できるようにしてもよい。ユーザーは、第２補正データの生成を指示した際に、操作パネル１３１又はリモコン５を操作して、変更データを消去するか、新たに生成する第２補正データにも変更データを引き続き適用するかを選択する。
【００７１】
また、第２補正データを再度生成して、第２補正データを更新する場合として、定期的に第２補正データを生成して更新する場合と、ユーザーの操作パネル１３１又はリモコン５の操作により第２補正データを生成する場合とがある。第２補正データの定期的な更新の場合にだけ、変更データを適用して、第２補正データの値を更新するようにすることもできる。
【００７２】
以上説明したように本発明の表示装置及び表示装置の制御方法を適用した実施形態の補正データ生成部１８５は、調整用画像データに対し、第１画像処理部１６１による処理が行われず、第２画像処理部１６５による処理が行われた場合に、撮像された撮像画像データに基づいて第２補正データを生成する。従って、第１画像処理部１６１の色変換部１６２が、表示モードに対応して複数パターンで色変換を行う場合であっても、色変換部１６２の色変換に影響されない第２補正データを生成することができる。このため、スクリーンＳＣを撮像した撮像画像に基づき、画像を補正する第２補正データを容易に生成し、生成した第２補正データを用いて画像を好適に処理することができる。
【００７３】
また、第１画像処理部１６１は、画像データに色変換を行う色変換部１６２を少なくとも備え、第２画像処理部１６５は、画像データの色むらを補正する第１色むら補正部１６８と、画像データにガンマ補正を行うガンマ補正部１６７とを備える。
従って、第２補正データの生成の際には、色変換されていない調整用画像データに基づいて撮像画像が生成され、この撮像画像に基づいて補正データが生成される。このため、プロジェクター１００に予め設定された表示モードに依存しない、プロジェクター１００に固有の色特性に基づいて第２補正データを生成することができる。
【００７４】
また、第１画像処理部１６１は、色変換部１６２に加えて、画像の形状を補正する形状補正部１６３を備えている。従って、調整用画像データが形状補正されていないため、補正データが生成できず、補正ができない画像データの領域が生じるのを防止することができる。
【００７５】
また、プロジェクター１００は、色むら補正部として、事前に生成された補正データを用いて画像データの色むらを補正する第１色むら補正部１６８と、補正データ生成部１８５が生成した補正データを用いて画像データの色むらを補正する第２色むら補正部１６６とを備える。従って、事前に用意された色むら補正を第１色むら補正部１６８により行って、さらに、撮像画像に基づいて生成された、プロジェクター１００使用環境に適した補正データに基づく色むら補正を第２色むら補正部１６６により行うことができる。
【００７６】
また、補正データ生成部１８５は、ガンマ補正部１６７が補正に用いるガンマ補正値に対応して、複数の補正データを生成する。従って、ガンマ補正部１６７の複数の補正パターンに対応した補正を第２色むら補正部１６６で行うことができる。
【００７７】
また、補正データ生成部１８５は、前回の補正データの生成の際に撮像された撮像画像の撮像値を目標値として、スクリーンＳＣに表示される画像の撮像画像の撮像値を、目標値に補正する補正データを生成する。従って、経年劣化の補正が可能な補正データを容易に生成することができる。
【００７８】
また、プロジェクター１００は、ユーザーの操作を受け付ける操作パネル１３１やリモコン５を備える。補正データ生成部１８５は、操作パネル１３１やリモコン５で受け付けた入力に応じて、生成した第２補正データの値を変更する。従って、ユーザーの使用環境にさらに適した第２補正データを生成することができる。
【００７９】
また、補正データ生成部１８５が生成した第２補正データと、操作パネル１３１やリモコン５で受け付けた入力に応じて変更された変更データとが第２パラメーター記憶部１７２の別々の記憶領域に記憶される。従って、補正データ生成部１８５が第２補正データを新たに生成する場合に、第２補正データだけを更新することができる。
【００８０】
また、第２補正データを新たに生成する場合に、前回生成した第２補正データに対する変更データを、新たに生成する第２補正データに適用するか否かをユーザーが選択することができる。
【００８１】
上述した実施形態は、本発明の好適な実施の形態である。ただし、これに限定されるものではなく、本発明の要旨を逸脱しない範囲内において種々の変形実施が可能である。
例えば、上述した実施形態では、表示装置としてのプロジェクター１００が撮像部１４０を備える構成を例示したが、プロジェクター１００は、撮像部１４０を備えていない構成であってもよい。例えば、プロジェクター１００は、プロジェクター１００の外部に設けられた撮像装置が撮像した撮像画像データを入力して、第２補正データを生成してもよい。
【００８２】
また、上述した実施形態では、第１色むら補正部１６８とは別に第２色むら補正部１６６を設け、補正データ生成部１８５が生成した第２補正データを、第２色むら補正部１６６が用いて補正を行う場合を示した。しかし、色むら補正を行うブロックを第１色むら補正部１６８だけとし、第２色むら補正部１６６は設けない構成であってもよい。
この場合、第１色むら補正部１６８は、第１補正データに、第２補正データを反映させた補正データを新たに生成し、生成した補正データに基づいて画像データに対する色むら補正を行う。なお、第１色むら補正部１６８は、第１補正データに、第２補正データを反映させる際に、第１補正データの複製を生成し、生成した複製に対して第２補正データを反映して新たな補正データを生成するとよい。第１補正データは、事前に用意され、プロジェクター１００にプリセットされた補正データであるため、変更を加えていない第１補正データもそのまま不揮発記憶部１７５に記憶させ、プロジェクター１００を初期状態に戻せるようにしておくとよい。
【００８３】
また、上述した実施形態では、光源が発した光を変調する光変調装置１１２として、ＲＧＢの各色に対応した３枚の透過型の液晶パネルを用いた構成を例に挙げて説明したが、本発明はこれに限定されるものではない。例えば、３枚の反射型液晶パネルを用いた構成としてもよいし、１枚の液晶パネルとカラーホイールを組み合わせた方式を用いてもよい。或いは、３枚のデジタルミラーデバイス（ＤＭＤ）を用いた方式、１枚のデジタルミラーデバイスとカラーホイールを組み合わせたＤＭＤ方式等により構成してもよい。光変調装置として１枚のみの液晶パネルまたはＤＭＤを用いる場合には、クロスダイクロイックプリズム等の合成光学系に相当する部材は不要である。また、液晶パネルおよびＤＭＤ以外にも、光源が発した光を変調可能な光変調装置であれば問題なく採用できる。
【００８４】
また、上述した実施形態では、プロジェクター１００として、スクリーンＳＣの前方から投射するフロントプロジェクション型のプロジェクター１００を示したが、本発明はこれに限定されない。
また、図１及び図２に示した各機能部は機能的構成を示すものであって、具体的な実装形態は特に制限されない。つまり、必ずしも各機能部に個別に対応するハードウェアが実装される必要はなく、一つのプロセッサーがプログラムを実行することで複数の機能部の機能を実現する構成とすることも勿論可能である。また、上記実施形態においてソフトウェアで実現される機能の一部をハードウェアで実現してもよく、あるいは、ハードウェアで実現される機能の一部をソフトウェアで実現してもよい。その他、プロジェクター１００の他の各部の具体的な細部構成についても、本発明の趣旨を逸脱しない範囲で任意に変更可能である。
【符号の説明】
【００８５】
５…リモコン（受付部）、１００…プロジェクター、１１０…表示部（投射部）、１１１…光源部、１１２…光変調装置、１１３…投射光学系、１２１…光源駆動部、１２２…光変調装置駆動、１３１…操作パネル（受付部）、１３２…リモコン受光部（受付部）、１３３…入力処理部（受付部）、１４０…撮像部、１４５…無線通信部、１５１…画像入力Ｉ／Ｆ部（入力部）、１５５…フレームメモリー、１６０…画像処理部、１６１…第１画像処理部（第１補正部）、１６２…色変換部、１６３…形状補正部、１６５…第２画像処理部（第２補正部）、１６６…第２色むら補正部、１６７…ガンマ補正部、１６８…第１色むら補正部、１７１…第１パラメーター記憶部、１７２…第２パラメーター記憶部、１７３…第３パラメーター記憶部、１７５…不揮発記憶部、１８０…制御部、１８１…投射制御部、１８２…撮像制御部、１８３…調整用画像生成部、１８４…補正制御部、１８５…補正データ生成部、１９０…内部バス、２００…画像供給装置、ＳＣ…スクリーン。
【図１】
2017129704.tif 000003
【図２】
2017129704.tif 000004
【図３】
2017129704.tif 000005